(57)【要約】【目的】洗濯物を洗濯ハンガーの中から偏らせて吊り下げても、ハンガーが殆ど傾かない様にすること。【構成】クリップ１を有する枠３と、桿やロープ等に掛けるフック５と、枠３とフック５とを連結する連結部材４とを備えた洗濯ハンガーにおいて、枠３を四角形又は略四角形状に形成し、洗濯ハンガーを側方から見て枠３と連結部材４との為す角度θを４５°以上とする。更に洗濯ハンガーを上方から見て枠と連結部材４との連結部位８を結ぶ線の外側の極く近傍範囲を、クリップの枠３に連結する連結部位が外側へ越えない様にクリップ１を配置する様にする。【選択図】図１
2008023307.tif 000002
【特許請求の範囲】
【請求項１】
クリップを有する枠と、桿、ロープ等に掛けるフックと、前記枠とフックとを連結する連結部材とを備えた洗濯ハンガーにおいて、前記枠を四角形又は略四角形状に形成し、洗濯ハンガーを側方から見て前記枠と連結部材との為す角度を４５°以上とし、更に洗濯ハンガーを上方から見て前記枠と連結部材との連結部位を結ぶ線の外側の極く近傍範囲を、前記クリップの枠に連結する連結部位が外側へ越えない様にクリップを配置する様に構成した事を特徴とする洗濯ハンガー。
【請求項２】
フックに回転自在に備えられた回転体に連結部材を連結する様にした請求項１記載の洗濯ハンガー。
【請求項３】
枠を下方側へ越えたところにある枠と連結部材との連結部位を有する枠突出部を枠に備え、この連結部位に連結部材を連結する様にした請求項１又は２記載の洗濯ハンガー。
【請求項４】
フックの握り部を回転体の下方に配置した請求項２又は３記載の洗濯ハンガー。
【請求項５】
フックに桿を掴む如く構成されたレバーを備え、前記レバーは支点においてフックを越えて反対側へ延びる構成である様にされた請求項４記載の洗濯ハンガー。
【発明の詳細な説明】
【産業上の利用分野】
【０００１】  本発明は洗濯物を洗濯ハンガーの中心から偏らせて吊り下げても、ハンガーが殆ど傾かない構造の洗濯ハンガーに関するものである。
【背景技術】
【０００２】  一般に洗濯ハンガーはクリップを有する枠と、桿やロープ等に掛けるフックと、枠とフックとを連結する連結部材とを備えているが（図１参照）、洗濯物を洗濯ハンガーの中心から偏らせて吊り下げるとハンガーが大きく傾き、次の洗濯物をクリップに挟む時に挟み難い。この為、常に洗濯ハンガーがほぼ水平状態となる様にクリップを選択しながら洗濯物を吊り下げなければならず、これが結構面倒なものであった。
【発明が解決しようとする問題点】
【０００３】  本発明の目的は、洗濯物を洗濯ハンガーの中心から偏らせて吊り下げても、ハンガーが殆ど傾かない構造のものを提供するところにある。
【問題点を解決する為の手段】
【０００４】  本発明は上記目的を達成する為、クリップを有する枠と、桿やロープ等に掛けるフックと、枠とフックとを連結する連結部材とを備えた洗濯ハンガーにおいて、枠を四角形又は略四角形に形成し、洗濯ハンガーを側方から見て枠と連結部材との、為す角度を４５°以上とし、更に洗濯ハンガーを上方から見て枠と連結部材との連結部位を結ぶ線の外側の極く近傍範囲を、クリップの枠に連結する連結部位が外側へ越えない様にクリップを配置する様に構成した。
【実施例】
【０００５】  図１（イ）は本発明による洗濯ハンガーの一実施例で、クリップ１（洗濯バサミ）を有する枠３と、桿、ロープ等に掛けるフック５と、枠３とフック５とを連結する連結部材４とを備えており、枠３は図１（イ）を上方から見た図１（ロ）の如く四角形又は略四角形状に形成されている（枠３は大形のものではＢ−Ｂ′線を中心に折り畳む事ができる構造とするのが良い）。連結部材４は枠３とフック５とを連結するもので、通常は鎖状のものであるが、柔軟な棒状のもの（紐の様なもの）でも良く、更には容易には曲らない棒状のものでも良い。７はフック５に回転自在に備えられた回転体で、この回転体７に連結部材４を連結する事により、フック５が桿やロープに掛けられていても枠３は自由に回転する事ができる（もちろん図３（ニ）の様に連結部材４を直接フック５に連結させても良い）。連結部材４の両端部にはフック状のものがあり、これが枠３や回転体７に形成された穴にひっかかる（嵌り込む）事によって互いに連結する様になっている。６は握り部で、桿やロープ等に掛ける時は、この部分を持って掛ける様にする。図１（イ）において洗濯物をクリップに挟む場合、枠３の中心から離れたクリップに挟むほど枠３の傾き（水平からの傾き）が大きくなる事は明らかである。そこで本発明では、図１（ロ）の如く洗濯ハンガーを上方から見て枠３と連結部材４との連結部位８（通状は連結部材４の端部にあるフック状のものが嵌り込む穴）を結ぶ線の外側の極く近傍範囲（前記線の２ｃｍ――望ましくは１ｃｍ位――外側の範囲内）を、クリップ１の枠３に連結する連結部位（通常は柔軟な紐２によりクリップ１は枠３に連結しているから、この紐２と枠３との連結部位）が外側へ越えない様にクリップ１を配置する様に構成した（通常は最も外側にあるクリップ１の枠３に連結する連結部位でもほぼ連結部位８を結ぶ線上にある様にするのが望ましい）、更に本発明では、図１（イ）の如く洗濯ハンガーを側方から見て枠３と連結部材４との為す角度θも重要な要素で、図２はこの角度θとαとの関係を示す実験結果で、αは最も端部にあるクリップ１に５００ｇの重りを吊り下げた時の枠３の水平状態からの傾き角度を示すものである。図から角度αを３０°以下に抑えるには（実用上、問題とならない程度の角度α）、角度θを４５°以上にする必要がある事が判る（４５°以下ではαは急増する）。そこで本発明では角度θを４５°以上とし、これはＡ方向から見ても同様とする。但し、角度αは小さい方が扱い易く、望ましくは角度θは５０°以上が良い。角度θを大きくするには図３（イ）の如く枠３に枠突出部９を備え、ここに枠３と連結部材４との連結部位（通常は穴で、この連結部位は枠３を下方側へ越えたところにある）を形成し、この連結部位に連結部材４を連結させるのが良い。更には図３（ロ）の如く回転体７を上方へ移し、この下方に握り部６を配置する様に構成する事も考えられる（図１（イ）では握り部６は回転体７の上方にある）。以上の図３（イ）、（ロ）の構造は洗濯ハンガー全体の高さを減少させる効果がある。フック５が図３（ハ）の如く桿を掴む如く構成されたレバー１０を備えている場合は、通常は二点鎖線示の様な形状となっているが、これでは連結部材４が邪魔になるので、レバー１０は支点１１においてフック５を乗り越えて反対側へ延びる構成である様にすると良い。支点１１にはレバー１０を閉じるバネが内蔵されている。レバー１０を開くには、レバー１０とフック突出部１２とを握って互いに接近させる様にする。【０００６】  図４（イ）はクリップ１４を保持部材１３の両端部に備えて、タオルやおむつ、更にはＴシャツ、Ｙシャツなどの肩の付いた上着類の洗濯物を干す為の洗濯物用ハンガーを示し、Ｃ方向から見た図４（ロ）の如く保持部材１３を多数（６〜８個位）支持部材１５に取り付けた多連装構造であり、少なくとも２個（多くても３個が良い）のフック１６により桿に吊り下げる様に構成してある（保持部材１３とクリップ１４とは一体成形の構造としても良い）。Ｃ方向から見たクリップ１４の拡大図を図４（ハ）に示すが、挟み部１７を有する第１の枠体１８と回動自在に備えられた可動挟み片２３を有する第２の枠体２１とを互いに対向させて備えると共に、各々の枠体１８、２１を連結体１９によりしっかりと連結させ、かつ可動挟み片２３をバネ２４により挟み部１７に接近する様に回動自在に備える様に構成してある。バネ２４は極く弱いもので十分である。２０はクリップ１４を保持部材１３に取り付ける為の保持穴である。使い方は簡単で、洗濯物を両手でピンと張って可動挟み片２３に当てて押し上げるとバネ２４は極く弱いものなので、簡単に押し上げられ、挟み部１７と可動挟み片２３の先端部間に挟まれ、保持される様になる。この時、挟まれた洗濯物を下方へ引っ張るとますます可動挟み片２３が食い込む様に作用するので（自己倍力機構）、バネ２４は弱いものでも重い洗濯物を保持する事ができる（従来のクリップの様にこれを片手で開きながらもう一方の手で洗濯物を持って挟む必要はない）。挟んだ洗濯物を取り外す場合は突起２２に親指を当て、下方から人差し指を可動挟み片２３に当てて押す様にすると、可動挟み片２３を開く事ができる。以上の如く洗濯物を両手でピンと張ってクリップに押し込むだけで両手を離してもそのまま保持されるので、簡単で便利である。次に図４（イ）、（ロ）に戻って洗濯物をクリップ１４に挟む時は可動挟み片２３を押し上る訳であるが、最も端にあるクリップの場合でもハンガー全体のほぼ半分の重量が下向きに押し下げているので、洗濯物をクリップに押し込む事ができるのである（中央にあるクリップの場合はハンガー全体の重量が下向きに押し下げる力となる）。しかしながらハンガー全体の重量が軽い場合はハンガーが持ち上ってしまい、洗濯物をクリップに押し込む事ができない事が起る。この様な場合は、フック１６に図４（ニ）の如く持ち上り防止ストッパー部２５を備えておけば良い。こうするとハンガー全体が軽くて持ち上ろうとしても、桿が持ち上り防止ストッパー部２５に当り、桿の重量が下向きに押し下げる力として加わるので、確実に洗濯物をクリップに押し込む事ができる。この場合、クリップ１６は全体のコンパクト化の為に根本部で横に倒れる構造となっている事が多いが、容易には横に倒れない様に（少し力を入れると倒れる）回動する部分に適度なマサツ力などの抵抗力を与える構造とする事が望ましい。図４（ホ）の如くクリップが���を掴む構造のキャッチ式の場合は、レバー部２６が持ち上り防止ストッパー部に相当するものとなる。
【発明の効果】
【０００７】  本発明は以上の如く構成されているので、洗濯物を洗濯ハンガーの中心から偏らせて吊り下げてもハンガーは殆ど傾かない。従って、沢山の洗濯物を吊り下げる場合、従来の様にハンガーがほぼ水平状態となる様に１回１回クリップを選択しながら使う必要がないので、非常に便利になる。
【図面の簡単な説明】
【図１】  本発明による洗濯ハンガを示す図。
【図２】  θとαとの関係を示す実験値を示す図。
【図３】  本発明による洗濯ハンガーの各種実施例を示す図。
【図４】  洗濯物用ハンガーを示す図。
【符号の説明】
１はクリップ、２は紐、３は枠、４は連結部材、５はフック、６は握り部、７は回転体、８は枠と連結部材との連結部位、９は枠突出部、１０はレバー、１１は支点、１２はフック突出部、１３は保持部材、１４はクリップ、１５は支持部材、１６はフック、１７は挟み部、１８は第１の枠体、１９は連結体、２０は保持穴、２１は第２の枠体、２２は突起、２３は可動挟み片、２４はバネ、２５は持ち上り防止ストッパー部、２６はレバー部、αは枠の水平状態からの傾斜角度である。
【図１】
2008023307.tif 000003
【図２】
2008023307.tif 000004
【図３】
2008023307.tif 000005
【図４】
2008023307.tif 000006